(57)【要約】【課題】ボールに対して自然に正しいアドレスを取れるように練習するためのアドレス矯正ゴルフ練習器を提供する。【解決手段】第１棒状部材２の一端側と第２棒状部材３の一端側とを開閉自在に連結し、前記第１棒状部材２に貫通状態で設置され部材軸方向に沿って移動可能とされるとともに、部材軸に対して直交する方向に向けてレーザー光を出射可能とする第１レーザー光出射装置６と、前記第２棒状部材３に貫通状態で設置され部材軸方向に沿って移動可能とされるとともに、部材軸に対して直交する方向に向けてレーザー光を出射可能とする第２レーザー光出射装置７とからなる。【選択図】図２
2013192754.tif 000002
【特許請求の範囲】
【請求項１】
第１棒状部材の一端側と第２棒状部材の一端側とを開閉自在に連結し、前記第１棒状部材に貫通状態で設置され部材軸方向に沿って移動可能とされるとともに、部材軸に対して直交する方向に向けてレーザー光を出射可能とする第１レーザー光出射装置と、前記第２棒状部材に貫通状態で設置され部材軸方向に沿って移動可能とされるとともに、部材軸に対して直交する方向に向けてレーザー光を出射可能とする第２レーザー光出射装置とからなることを特徴とするアドレス矯正ゴルフ練習器。
【請求項２】
前記第１棒状部材と第２棒状部材とが０〜９０°範囲で開閉自在に連結されている請求項１記載のアドレス矯正ゴルフ練習器。
【請求項３】
第１棒状部材と、第２棒状部材と、側面に前記第１棒状部材の一端を嵌入させるための第１嵌入孔と、平面視で前記第１嵌入孔の方向に対して９０°方向に向けた前記第２棒状部材の一端を嵌入させるための第２嵌入孔とを有する連結具と、前記第１棒状部材に貫通状態で設置され部材軸方向に沿って移動可能とされるとともに、部材軸に対して直交する方向に向けてレーザー光を出射する第１レーザー光出射装置と、前記第２棒状部材に貫通状態で設置され部材軸方向に沿って移動可能とされるとともに、部材軸に対して直交する方向に向けてレーザー光を出射する第２レーザー光出射装置とからなることを特徴とするアドレス矯正ゴルフ練習器。
【請求項４】
前記第１棒状部材及び第２棒状部材には、部材軸方向に沿って目盛りを刻んである請求項１〜３いずれかに記載のアドレス矯正ゴルフ練習器。
【請求項５】
前記第１レーザー出射装置及び第２レーザー光出射装置は、出射するレーザー光をスポット光としてある請求項１〜４いずれかに記載のアドレス矯正ゴルフ練習器。
【請求項６】
前記第１レーザー出射装置及び第２レーザー光出射装置は、出射するレーザー光を縦スリット光としてある請求項１〜４いずれかに記載のアドレス矯正ゴルフ練習器。
【発明の詳細な説明】
【技術分野】
【０００１】
本発明は、プレーヤーがボールに対して自然に正しいアドレスが取れるように練習するためのアドレス矯正ゴルフ練習器に関する。
【背景技術】
【０００２】
アマチュアゴルファーやプロゴルファーに限らず、すべてゴルファーに取って、ボール位置に対して正しいアドレスが自然に取れるようにすることは非常に重要である。ボールに対する正しいアドレスとは、先ず第１に、自分のスタンスの方向、すなわち左足と右足とを結んだ方向がボールの飛球線方向に対して平行（スクエア）になっていることである。このスクエアアドレスが実現できてはじめてクラブのフェース面をボールを飛ばしたい方向に対して垂直にすることができ、ピンに向かって真っ直ぐに打ち出すことが可能となるのである。アドレスで次に重要なのが、ボールとスタンスとの相対的位置関係である。ボール位置に関しては、スタンス内のボールの飛球線方向位置と身体（スタンス）からボールまでの飛球線直交方向距離である。使用クラブとの関係では、個人差はあるものの長いクラブほどボールの飛球線方向位置は左足側寄りに位置し、かつ飛球線直交方向距離はスタンスから遠ざかることになる。スタンスとボールとが正しい距離にセットされていないと、飛距離ミス、テンプラ、ダフリやトップと言ったミスショットに繋がる原因となり、ボールへの正確なインパクトを実現するにはスタンスに対するボール位置を適性にすることが重要となる。他にはスタンスの幅なども重要となる。
【０００３】
ゴルファーの誰もがアドレスの重要性は認識しているものの、実際には練習時にたまに、誰かに後方から見てもらって修正したり、スタンス位置に棒をおいて目線で確認する方法などの方法を採りながらアドレスの矯正を行っているのが実情であり、スイング毎にアドレスを気にしながら練習しているアマチェアゴルファーは多くはない。
【０００４】
近年、自然に正しいアドレスを身に付けさせるべくした練習器具が幾つか提案されている。
【０００５】
例えば、下記特許文献１では、ゴルフスイングにおける頭部、両肩、両肘、左右の腰、両膝の線の動態変化を自分の目で上面から観察できる大きさの面積を有した長方形の平面鏡を備えるゴルフ練習機が開示されている。
【０００６】
また、下記特許文献２では、位置情報を取得する測位装置を含む第１、第２測定部と、２つの測定点における位置情報に基づいて、前記２つの測定点を結ぶ直線を特定する制御部と、告知部とを備え、前記第１測定部は、使用者の一方の肩に取り付けられ、前記第２測定部は、使用者の他方の肩に取り付けられ、前記制御部は、アドレスに入る前に、使用者が第１位置に移動した時に前記第１測定部を使って得た第１位置情報と、第２位置に移動した時に前記第１測定部を使って得た第２位置情報とに基づいて、第１直線を特定し、前記制御部は、アドレスに入る時に、特定の時間間隔で、前記第１特定部で取得した位置情報と、前記第２測定部で取得した位置情報とに基づいて、使用者の両肩を結ぶ第２直線を特定し、前記制御部は、前記第１直線と、前記第２直線とが平行な状態にあるか否かを判断し、前記告知部は、前記制御部による判断結果を使用者に告知するゴルフアドレス姿勢確認システムが開示されている。
【０００７】
下記特許文献３では、 ボール設置位置と目標に対するスタンスを適性に維持するのを助けるゴルフ練習器であって、ａ）細長い踵ガイド、この踵ガイドに対して平行に延びるボール位置表示器延長部、このボール位置表示器延長部上で前後方向に移動できるように可動装着した調節自在のボール位置表示器および踵ガイドとボール位置表示器延長部の間に延びており、限られたスタンス領域を形成する一対の間隔を置いた横連結部材を包含するスタンス・カドラントと、ｂ）このスタンス・カドラントから外方に延びる目標支持体と、ｃ）この目標支持体上に装着してあり、ピンまたはホール位置の方向を指し示す目標表示器とを包含することを特徴とするゴルフ練習器が開示されている。
【０００８】
下記特許文献４では、ボール設置位置と目標に対するスタンスを，適正に維持するすることを助け，ゴルファーのスタンスを改善することを目的とした基本機能をもつゴルフ練習器であって，ボールを，目標を結んだラインにセッティングさせることを方向付ける定規部，使用クラブごとに異なるボールの標準的な設置位置を表示した定規部，使用クラブごとで異なるスタンス幅の両足の踵の内側位置と左足のつま先の位置を表示した定規部，使用クラブごとに異なるボールと両足との間の適切な距離を位置表示した定規部の以上４つの主たる基本部位と，さらに基本機能に付随した補助的機能を有する部位とを包含するアドレス補正ゴルフ練習器が開示されている。
【先行技術文献】
【特許文献】
【０００９】
【特許文献１】特開２００７−８９８４３号公報
【特許文献２】特開２０１１−２５１０３５号公報
【特許文献３】特開平７−１００２３７号公報
【特許文献４】特開２００３−１２６３２０号公報
【発明の概要】
【発明が解決しようとする課題】
【００１０】
しかしながら、上記特許文献１に係るゴルフ練習機は、スイング矯正を主目的とするものであり、飛球線方向に対するスクエア（平行）感覚は体得できるもののそれ以外のアドレス項目については体得できない。
【００１１】
上記特許文献２に係るアドレス姿勢確認システムは、第１測定部及び第２測定部は、ＳＤＧＰＳ(Satellite Differential Global Positioning System)受信部と、加速度センサ（または角速度センサ）を有する測位装置であり、前記制御部は演算記憶処理を行うコンピュータの如き装置部であり、装置全体が複雑であるとともに、非常に高コストであるなどの問題があり、使用方法及び操作方法も煩雑であり、アマチュアゴルファーには到底受け入れ難いものである。
【００１２】
これらの発明に対して、特許文献３，４に係る発明は、簡単にスタンスの方向、ボールの飛球線方向位置及び飛球線直交方向位置などを正しく矯正し得る点で優れている。また、操作も容易であるなどの利点を有する。しかしながら、これらの器具は、部材を平面格子状に組み立てた複雑なものであるとともに、器具自体も大型であり、簡単に練習場まで持ち運びできるものではない。仮に、分解した状態で持ち運びするにも部材数が多く、その組立に多くの手間が掛かるものとなっている。また、練習場の自己スペースが狭い場合は設置できない場合もある。特に特許文献３の器具は、地面に対してアンカーピンで固定する必要があるなど、通常の練習場や人工マット上での使用を前提としていない。
【００１３】
一方で、この種の練習器具はドライバー、フェアウェイウッドなどのウッド系クラブ、アイアンクラブなどの練習だけに使用されるものであるが、これらのショット練習以上に重要とされるのがパットであり、このパット練習も応用的に行えると利便性が向上するため、このような複数用途に使える練習器具が強く望まれている。
【００１４】
そこで本発明の主たる課題は、ボールに対して自然に正しいアドレスを取れるように練習するためのアドレス矯正ゴルフ練習器であって、非常に簡易な構造でかつ小型化され、ゴルフバックにも収容可能な構造とし、常に持ち歩いてどこでも練習できるようにしたアドレス矯正ゴルフ練習器を提供することにある。
【００１５】
また、多くのスペースを必要とせず、打ち放し練習場の自己スペース内で設置が可能であり、かつショットの練習以外にパター練習等にも応用可能な練習器を提供することにある。
【課題を解決するための手段】
【００１６】
前記課題を解決するために請求項１に係る本発明として、第１棒状部材の一端側と第２棒状部材の一端側とを開閉自在に連結し、前記第１棒状部材に貫通状態で設置され部材軸方向に沿って移動可能とされるとともに、部材軸に対して直交する方向に向けてレーザー光を出射可能とする第１レーザー光出射装置と、前記第２棒状部材に貫通状態で設置され部材軸方向に沿って移動可能とされるとともに、部材軸に対して直交する方向に向けてレーザー光を出射可能とする第２レーザー光出射装置とからなることを特徴とするアドレス矯正ゴルフ練習器が提供される。
【００１７】
上記請求項１記載の発明は、第１棒状部材と第２棒状部材とを９０°拡開した状態で地面上に載置する。この際、一方の棒状部材はスタンスと平行にセットする。他方の棒状部材は、ボールの後方側に飛球線直交方向にセットされることになる。そして、ボールの後方に置かれた他方の棒状部材に装着されたレーザー光出射装置から飛球線方向に向けてレーザー光を出射し、スタンスと平行に置かれた一方の棒状部材に装着されたレーザー光出射装置から飛球線直交方向に向けてレーザー光を出射させる。２つのレーザー光が交差する交点がボール設置点となる。
【００１８】
従って、前記一方の棒状部材に沿って平行にスタンスするだけで飛球線方向に対してスクエアにスタンスすることができ、前記各レーザー光出射装置をクラブに合った適性な位置に位置決めしておけば、ボールとスタンスとの位置関係が常に適性な状態となる。このアドレス矯正ゴルフ練習器を使って練習を積み重ねることによって、使用者自ら、間違ったアドレスを矯正することができ、これを習慣づけることによってコースでのラウンド時に、自然にプレーヤーがボールに対して自然に正しいアドレスが取れるようになる。
【００１９】
本発明のアドレス矯正ゴルフ練習器は、非常に簡易な構造であり、第１棒状部材と第２棒状部材とを閉じた状態では２本一組の棒状態となり、かなりの小型化が可能であるため、ゴルフバックにも収容可能である。そのため、常に持ち歩いてどこでも練習できるようになる。
【００２０】
棒状部材を練習場所にＬ字状に設置するだけであまり多くのスペースを必要としないため、打ち放し練習場の自己スペース内で容易に設置が可能である。
【００２１】
また、複数用途の機能としては、レーザー光出射装置から飛球線方向に向けてレーザー光を出射しているためスイング時のヘッド軌道方向の確認が行える。また、ボールの後方側の棒状部材に２つのレーザー光出射装置を離間を空けて並列的に設置すれば、２本のレーザー光を頼りにパターヘッドの軌道を確認しながらパター練習も行うことが可能となる。
【００２２】
請求項２に係る本発明として、前記第１棒状部材と第２棒状部材とが０〜９０°範囲で開閉自在に連結されている請求項１記載のアドレス矯正ゴルフ練習器が提供される。
【００２３】
上記請求項２記載の発明は、前記第１棒状部材と第２棒状部材とが０〜９０°範囲で開閉自在に連結されているものである。拡開操作時に最大拡開角度が９０°になるようにしておけば、第１棒状部材と第２棒状部材とを簡単に９０°拡開状態にすることが可能となる。
【００２４】
請求項３に係る本発明として、第１棒状部材と、第２棒状部材と、側面に前記第１棒状部材の一端を嵌入させるための第１嵌入孔と、平面視で前記第１嵌入孔の方向に対して９０°方向に向けた前記第２棒状部材の一端を嵌入させるための第２嵌入孔とを有する連結具と、前記第１棒状部材に貫通状態で設置され部材軸方向に沿って移動可能とされるとともに、部材軸に対して直交する方向に向けてレーザー光を出射する第１レーザー光出射装置と、前記第２棒状部材に貫通状態で設置され部材軸方向に沿って移動可能とされるとともに、部材軸に対して直交する方向に向けてレーザー光を出射する第２レーザー光出射装置とからなることを特徴とするアドレス矯正ゴルフ練習器が提供される。
【００２５】
上記請求項３記載の発明は、第２態様に係るアドレス矯正ゴルフ練習器を示したものである。第１発明との違いは、第１棒状部材と、第２棒状部材と、連結具とがバラバラであり、連結具に、第１棒状部材の一端を差し込むとともに第２棒状部材の一端を差し込んで、９０°のＬ字状態に組み立てるようにしたものである。その他の構造、使用方法は、第１発明と同様である。
【００２６】
請求項４に係る本発明として、前記第１棒状部材及び第２棒状部材には、部材軸方向に沿って目盛りを刻んである請求項１〜３いずれかに記載のアドレス矯正ゴルフ練習器が提供される。
【００２７】
上記請求項４記載の発明は、前記第１棒状部材及び第２棒状部材に、部材軸方向に沿って目盛りを刻んで、レーザー光出射装置の位置をクラブ毎に適性な位置に簡単に位置決めできるようにしたものである。なお、目盛りが無い場合であっても、クラブの種類・番手を印刷したシールを用意し、これを棒状部材に貼り付けることで、レーザー光出射装置をクラブ毎に適性な位置に簡単に位置決めできるようになる。
【００２８】
請求項５に係る本発明として、前記第１レーザー出射装置及び第２レーザー光出射装置は、出射するレーザー光をスポット光としてある請求項１〜４いずれかに記載のアドレス矯正ゴルフ練習器が提供される。
【００２９】
上記請求項５記載の発明は、前記第１レーザー出射装置及び第２レーザー光出射装置は、出射するレーザー光をスポット光とするものである。スポット光の場合は、練習場に向こう側壁面にレーザー光を当てて、飛球方向の目標とすることが可能となる。
【００３０】
なお、レーザー光の色は、一般的な赤色の場合は日中の屋外では見え難いため、グリーンレーザー光にするのが望ましい。グリーンレーザー光の場合は、鮮明にはっきりと見え、晴れた日中の屋外でも使えるため望ましい。
【００３１】
請求項６に係る本発明として、前記第１レーザー出射装置及び第２レーザー光出射装置は、出射するレーザー光を縦スリット光としてある請求項１〜４いずれかに記載のアドレス矯正ゴルフ練習器が提供される。
【００３２】
上記請求項６記載の発明は、前記第１レーザー出射装置及び第２レーザー光出射装置は、出射するレーザー光を縦スリット光とするものである。この場合は、地面側にレーザー光を投射するようにすれば、レーザー線を描くことが可能となる。この縦スリット光であれば、レーザー光が赤色であっても地面に鮮明に線を描くことができる。また、地面側に傾斜させてレーザー光を投射させるため、他人の目に直接レーザー光を当ててしまうなどの事故を防止することができる。
【発明の効果】
【００３３】
以上詳説のとおり本発明によれば、ボールに対して自然に正しいアドレスを取れるように練習するためのアドレス矯正ゴルフ練習器であって、非常に簡易な構造でかつ小型化され、ゴルフバックにも収容可能な構造とし、常に持ち歩いてどこでも練習できるようになる。
【００３４】
また、多くのスペースを必要とせず、打ち放し練習場の自己スペース内で設置が可能であり、かつショットの練習以外にパター練習等にも応用可能である。
【図面の簡単な説明】
【００３５】
【図１】本発明に係るアドレス矯正ゴルフ練習器１の使用状態を示す後方からの視図である。
【図２】アドレス矯正ゴルフ練習器１の平面図である。
【図３】回動部４，５の要部拡大斜視図である。
【図４】レーザー光出射装置６，７の斜視図である。
【図５】第２形態例に係るアドレス矯正ゴルフ練習器１の連結具を示す斜視図である。
【図６】アドレス矯正ゴルフ練習器１をパター練習器として用いる場合の使用状態平面図である。
【発明を実施するための形態】
【００３６】
以下、本発明の実施の形態について図面を参照しながら詳述する。
〔第１形態例〕
本発明に係るアドレス矯正ゴルフ練習器１（以下、単にアドレス矯正具という。）は、図１に示されるように、地面や床面に載置した状態で、このアドレス矯正具１をガイドとして、スタンスするとともに、ボール位置を指示された位置に置き、ゴルフボール９を打つ練習を行うことで、ゴルフボール９に対して自然に正しいアドレスが取れるように習慣付けるようにするものである。このような練習を繰り返すことにより、自然に飛球線方向に対するスクエアアドレスが感覚的に身に付き、かつスタンスに対するボール位置の正しい相対的位置関係が感覚的に身に付くため、ラウンドに際して、このアドレス矯正具１がなくてもプレーヤーがゴルフボール９に対して自然に正しいアドレスが取れるようになる。
【００３７】
前記アドレス矯正具１は、図２に示されるように、第１棒状部材２の一端側と第２棒状部材３の一端側とを開閉自在に連結し、前記第１棒状部材２に貫通状態で設置され部材軸方向に沿って移動可能とされるとともに、部材軸に対して直交する方向に向けてレーザー光を出射可能とする第１レーザー光出射装置６と、前記第２棒状部材３に貫通状態で設置され部材軸方向に沿って移動可能とされるとともに、部材軸に対して直交する方向に向けてレーザー光を出射可能とする第２レーザー光出射装置７とからなる器具である。
【００３８】
以下、具体的に詳述する。
【００３９】
前記第１棒状部材２及び第２棒状部材３は、ゴルフクラブのカーボンシャフトとして使用されている軽量グラファイトを用いて作製されているものが望ましい。グラファイトは、カーボン繊維とエポキシ樹脂の複合材からなる素材であり、強度、耐久性に優れている。床面に載置するため、靴で踏んでしまうことを考えると、踏んでも折れたり、割れたりしないグラファイト素材のものを使用するのが望ましい。もちろん、強度、耐久性を有するものであれば、プラスチック材料を使用して製作することも可能である。断面形状は、円形、多角形状等いずれでもかまわないが、ゴルファーには円形断面の方が受け入れられ易いであろうと思われる。
【００４０】
前記第１棒状部材２及び第２棒状部材３の外面には、部材軸方向に沿って目盛りが刻まれている。目盛りを刻んでおくことにより、レーザー光出射装置６，７の位置をクラブ毎に適性な位置に簡単に位置決めできるようになる。仮に、目盛りを付けない場合でも、クラブの種類・番手を印刷したシールを予め用意しておき、これをクラブ毎の位置に棒状部材２，３に貼り付けておくようにすれば、レーザー光出射装置６，７をクラブ毎に適性な位置に簡単に位置決めできるようになる。また、スタンスと平行に設置される第２棒状部材３の側には、左足の位置が常に定位置になるように左足位置を示す表示が設けられている（図示せず）。
【００４１】
前記第１棒状部材２と第２棒状部材３との連結は、図３に示されるように、前記第１棒状部材２の一端に第１回動部４を設けるとともに、前記第２棒状部材３の一端に第２回動部５を設け、これら第１回動部４と第２回動部５とを鉛直軸回りに回動可能に軸支するようにすればよい。前記第１棒状部材２と第２棒状部材３との拡開角度は、０〜９０°の範囲で開閉可能とするのが望ましい。前記回動連結部位において、９０°位置にストッパーによってそれ以上の回動操作ができないようにしておけば、第１棒状部材２と第２棒状部材３とを簡単に９０°拡開状態にすることが可能になり、設置時の操作が容易となる。なお、アドレスをオープンスタンスとしフェードボールの打ち方を練習したり、クローズスタンスとしてドローボールの打ち方を練習することを想定する場合には、９０°＋αの範囲の拡開角度まで開閉操作できるようにすることも可能である。図示のように、第１回動部４と第２回動部５との境界部分に目盛りを刻み、拡開角度が分かるようにすることも可能である。
【００４２】
前記第１棒状部材２、第２棒状部材３に夫々貫通状態で設置される第１レーザー光出射装置６及び第２レーザー光出射装置７は、図４に示されるように、前記棒状部材２（３）が貫通される貫通孔１０ａが形成された基台１０と、この基台の上面側に固設されたレーザー投光器１１とから構成された装置である。前記レーザー投光器１１としては、出射するレーザー光をスポット光としたスポットタイプや、出射するレーザー光を縦スリット光としたスリットタイプとすることが可能である。スポット光とする場合には、練習場に向こう側壁面にレーザー光を当てて、飛球方向の目標とすることが可能となる。また、日中にプレイヤーがボール付近のレーザー光を視認可能とするには、一般的に多い赤色の場合は日中の屋外では見え難いため、グリーンレーザー光にするのが望ましい。グリーンレーザー光の場合は、鮮明にはっきりと見え、晴れた日中の屋外でも使えるため望ましい。
【００４３】
一方、前記縦スリット光タイプのレーザー投光器は、球面レンズとシリンドリカルレンズとを組み合わせてレーザービームを縦方向に面状としたものである。球面レンズは、レーザービームを拡げる働きを持つレンズであり（ビームイクスパンダレンズ）、前記シリンドリカルレンズは一方向だけの屈折させる働きを持つカマボコ状のレンズであり、前記球面レンズで円錐状にある程度に拡がったレーザービームを前記シリンドリカルレンズで一方向に屈折させて縦長のシート状ビームとするものである。この縦スリットタイプのレーザー投光器であれば、レーザー光が赤色であっても地面に鮮明に線を描くことができる。また、地面側に傾斜させてレーザー光を投射するため、他人の目に直接レーザー光を当ててしまうなどの事故を防止することができる。レーザー光によって地面に描く線の長さは概ね２〜１０ｍ程度に設定するのが望ましい。前記レーザー光出射装置６，７は、第１棒状部材２、第２棒状部材３の他端側から抜いて取り外すことができるようになっている。なお、シート状のレーザー光を作る方法としては、ポリゴンミラーやガルバノミラーを使う方法もあるが、これらの場合にはミラーを駆動させるためのモータが必要となり装置が大型化する欠点がある。
【００４４】
前記アドレス矯正具１は、図２に示されるように、第１棒状部材２と第２棒状部材３とを９０°で拡開した状態で地面上に載置する。この際、第２棒状部材３は飛球線方向にセットすれば、前記第１棒状部材２はこれに垂直にセットされることになる。プレイヤーは前記第２棒状部材３に対してスタンスを平行にセットする。第１レーザー光出射装置６は、使用クラブとの関係でスタンスから適切な離間距離となるボール位置に位置決めされる。また、第２レーザー光出射装置７は、使用クラブとの関係でスタンス内の適切な飛球線方向ボール位置となる位置に位置決めされる。つまり、スタンスに対してボールが適切な二次元位置になるようにレーザー光出射装置６，７が位置決めされる。
【００４５】
以上の準備操作が完了したなら、レーザー光出射装置２，３からのレーザー光が交差する位置にゴルフボール９を置き、プレイヤーは第２棒状部材３を目印としてこれに平行にスタンスを取り、第１レーザー光出射装置６からレーザー光を打ち出し方向の目印としながら、その方向に沿ってクラブを振ることを習慣づけることによって、スタンスとボール位置との関係や飛球線方向に対するスクエアアドレスの感覚が自然と身に付くようになる。
【００４６】
〔第２形態例〕
次に、本アドレス矯正具１の第２形態例について図５に基づいて説明する。
【００４７】
上記第１形態例では、第１棒状部材２の一端側と第２棒状部材３の一端側とを開閉自在に連結したが、第１棒状部材２と、第２棒状部材３とがバラバラであり、練習時に組み立てるようにしたものである。具体的には、側面に前記第１棒状部材２の一端を嵌入させるための第１嵌入孔８ａと、平面視で前記第１嵌入孔８ａの方向に対して９０°方向に向けた前記第２棒状部材３の一端を嵌入させるための第２嵌入孔８ｂとを有する連結具８を用い、前記第１棒状部材２の一端を前記第１嵌入孔８ａに差込み、第２棒状部材３の一端を前記第２嵌入孔８ｂに差し込んで、第１棒状部材２と第２棒状部材３とがＬ字状になるように組立てる。
【００４８】
なお、他の構造部分や使用方法については上記第１形態例と同様であるため説明を省略する。
【００４９】
〔他の使用例〕
本発明のアドレス矯正具１は、ショット練習以外にもパター練習にも使用が可能である。図６はその使用状態を示したものである。
【００５０】
同図６に示されるように、第２棒状部材３側の第２レーザー光出射装置７を取り外して、第１棒状部材２側に、この第２レーザー光出射装置７を離間を空けて並列的に取り付けるようにする。並列させたレーザー光出射装置６，７の間隔は、パターヘッド１２のトウ側１２ａとヒール側１２ｂとを通る幅にセットするのが望ましい。
【００５１】
スタンスからの距離は、一対のレーザー光の間にゴルフボール９を置いた際、このゴルフボール９とスタンスとの距離が適性な位置となるように位置決めを行う。後は、一対のレーザー光の間にゴルフボール９を置き、これをパターで打つ練習を繰り返すようにする。この際、一対のレーザー光の間で真っ直ぐにパターヘッド１２が後側に真っ直ぐに引けているか、真っ直ぐストロークできているかをプレイヤー自身がチェックできるとともに、ゴルフボール９の打ち出し方向がきちんと一対のレーザー光の間に沿って転がるかどうかでパターのフェース面の方向チェックが行える。
【符号の説明】
【００５２】
１…アドレス矯正具、２…第１棒状部材、３…第２棒状部材、４…第１回動部、５…第２回動部、６…第１レーザー光出射装置、７…第２レーザー光出射装置、８…連結具、９…ゴルフボール、１０…基台、１１…レーザー投光器
【図１】
2013192754.tif 000003
【図２】
2013192754.tif 000004
【図３】
2013192754.tif 000005
【図４】
2013192754.tif 000006
【図５】
2013192754.tif 000007
【図６】
2013192754.tif 000008